(57)【特許請求の範囲】
【請求項１】
既設設備の省エネルギー診断をする会社から当該診断対象設備の現場に派遣される現場担当者が当該現場で着用する着用具に、前記診断対象設備の状況を撮影する映像手段と、前記現場担当者が前記診断対象設備の状況を音声で説明するための音声説明手段と、前記省エネルギー診断をする会社に居る専門員が前記現場に派遣されている前記現場担当者に省エネルギー診断のための指示をする場合に当該指示を通信手段を介して当該現場担当者が聞くための受話手段とが取り付けられるとともに、
前記省エネルギー診断をする会社の所定の位置に自動充電状態で保管されていて前記現場担当者が前記診断対象設備の現場に派遣される場合に携帯する携帯装置は、当該保管位置から持ち出された場合に自動的に電源がオンになる電源自動投入手段と、当該携帯装置の位置情報を前記通信手段を介して前記専門員が居る場所に設けられている情報装置に送信する位置情報送信手段と、前記診断対象設備の映像や音声説明を前記通信手段を介して前記情報装置に送信する現場情報送信手段とを有することを特徴とする省エネルギー診断システム。
【発明の詳細な説明】
【０００１】
【発明の属する技術分野】
本発明は、設備の使用エネルギーを少なくするための診断をする場合に用いられる省エネルギー診断システムに関する。
【０００２】
【従来の技術】
従来、例えばビルディングに設けられている空調設備の状況を調査することによって当該空調設備の省エネルギーの可否を診断する場合、当該空調設備が設置されている現場に、空調装置を構成するそれぞれの技術分野の専門員が出向き、各専門員が関係する技術分野を詳細に調査したうえ、各技術分野の調査結果に基づいて総合的に省エネルギーの診断をするということが行われている。
【０００３】
【発明が解決しようとする課題】
上記のように、従来は、省エネルギーの診断対象となる設備の現場に、その設備を構成するそれぞれの技術分野の専門員が出向いて、関係する技術分野を詳細に調査するということが行われるため、専門員の手間が大きく、省エネルギーの診断にかかるコストが高くなるという問題がある。
【０００４】
そこで本発明では、省エネルギーの診断対象となる設備を構成するそれぞれの技術分野の専門員が現場に出向かなくても、設備の省エネルギーの診断に必要な調査をすることが可能な省エネルギー診断システムを提供することを解決すべき課題とするものである。
【０００５】
【課題を解決するための手段】
上記課題は、特許請求の範囲の欄に記載した省エネルギー診断システムにより解決することができる。
【０００６】
請求項１に記載の省エネルギー診断システムによれば、既設設備の省エネルギー診断をする会社から当該診断対象設備の現場に現場担当者が派遣される際、現場担当者が、その省エネルギー診断をする会社の所定の位置に自動充電状態で保管されている携帯装置を持ち出して携帯すると、携帯装置の電源が自動的にオンされるとともに、当該携帯装置の位置情報が、通信手段を介して情報装置に送信される。
現場担当者が当該現場に到着すると、現場担当者は、着用具に設けられている映像手段と音声説明手段とを用いて、診断対象設備の状況映像や音声説明を通信手段を介して情報装置に送信するため、省エネルギー診断をする会社に居る専門員は、現場の位置情報や、その映像、及び音声説明を見聞きしながら現場担当者に省エネルギー診断のための指示をする。その指示は、通信手段を介して着用具の受話手段に送信されるため、現場担当者は、その指示に基づいて現場の状況を撮影するとともに音声説明をする。
それぞれの専門員は、上記位置情報や、設備の映像、及び音声説明に基づいて当該設備の使用エネルギーを少なくするための診断をする。このように、現場担当者と各専門員の双方向コミュニケーションにより省エネルギーの診断に必要な調査をすることができるため、専門員が現場に出向かなくても、設備の省エネルギーの診断が可能となる。
【０００７】
【発明の実施の形態】
次に、本発明の実施の形態について説明する。
一般に、エネルギーを消費する設備は複数の技術分野で構成されている。そのため、各設備を構成するそれぞれの技術分野毎に使用状況等を詳細に調査したうえ、その調査結果に基づいて総合的に設備の省エネルギーの診断をする必要がある。本発明の実施の形態では、省エネルギーの診断対象となる設備を構成するそれぞれの技術分野の専門員が現場に行かなくても、設備の省エネルギーの診断が可能な省エネルギー診断システムについて説明する。
【０００８】
図１は、省エネルギー診断システム１の全体的な構成を示したシステム系統図である。この省エネルギー診断システム１は、省エネルギー診断対象となる設備が設置されている現場に行って設備の使用状況等を調査する一人の現場担当者（図示省略）と、その設備に精通している会社の例えば設計センターに居て、必要と思われる調査を現場担当者に指示する各技術分野の専門員（図示省略）との間で双方向のコミュニケーションをするシステムである。各技術分野の専門員は後述の通信機器を介して現場から送られてきた設備の使用状況の映像や音声説明等に基づいて総合的に省エネルギーの診断をする。以下、省エネルギー診断システム１の構成、作用の説明をする。
【０００９】
図１に示したヘルメット２は上述の現場担当者が着用するものである。このヘルメット２には、省エネルギーの診断対象となる設備の使用状況等を現場担当者が撮影して映像信号を出力するカメラ３と、現場担当者が設備の使用状況を説明した音声を拾うマイクロフォン４と、現場担当者が上記各専門員からの調査指示などを聞くためのイアフォン５とが取り付けられている。
【００１０】
上記カメラ３、マイクロフォン４、及びイアフォン５とケーブル６で接続されている無線機７は、カメラ３から出力された映像信号、及びマイクロフォン４から出力された音声信号を電波でアンテナ８から送信するとともに、後述する携帯ボックス９に設けられている無線送受信機１０からアンテナ１０ａを介して送信された各専門員の調査指示の信号をアンテナ８で受信したうえ、イアフォン５からその指示を音声で出力させるものである。この無線機７の電源部には電源としてバッテリが使用されている。尚、図１に示すように無線機７はヘルメット２と別体に設けられているが、小型化すればヘルメット２に直接的に取り付けてもよいし、上記カメラ３、マイクロフォン４、及びイアフォン５のそれぞれに分散させて設けてもよい。また、上記カメラ３はヘルメット２に固定されたものではなく、ヘルメット２に取り付けられているホルダー３ａに着脱自在に保持されている。
【００１１】
図１に示した携帯ボックス９は、通常、ヘルメット２（無線機７を含む）とペアで特定の場所に保管されている。この保管状態において、携帯ボックス９の電源部に設けられているバッテリ及び無線機７の電源部に設けられているバッテリは充電器（図示省略）により自動的に充電されており、ヘルメット２（無線機７を含む）及び携帯ボックス９が保管場所から持ち出されると、無線機７の電源、及び携帯ボックス９の電源を自動的にオンにするための電気回路が設けられている。
【００１２】
携帯ボックス９には、前述のように無線機７と電波で通信する無線送受信機１０（１０ａは無線送受信機１０のアンテナ）が設けられている。この無線送受信機１０は無線機７から電波で送信された前述の映像信号と音声信号とを受信するとともに、各専門員の調査指示信号を電波で無線機７に送信するものである。
また、無線送受信機１０と電気的に接続されている通信機１４（１４ａは通信機１４のアンテナ）は、通信ネットワーク１１を介して前記設計センター１２に設けられている管理用パーソナルコンピュータ１３と通信するために必要なものであって、一般に携帯電話あるいはＰＨＳが用いられる。尚、通信ネットワーク１１として一般電話回線やインターネットが使用できる場合、通信機１４はモデム等となる。設計センター１２に設けられている管理用パーソナルコンピュータ１３は、現場担当者と交信（会話や映像受像やデータの送受信）をするためのものである。
【００１３】
また、携帯ボックス９には、小型のパーソナルコンピュータ等で構成された情報機器１５が内蔵されている。この情報機器１５は、通信ネットワーク１１を介して上記管理用パーソナルコンピュータ１３にアクセスして省エネルギーの診断に必要なデータの交信をする。また、携帯ボックス９には、前記現場担当者と専門員との会話や、設備の使用状況を撮影した映像等を記録するための記録装置（図示省略）が設けられている。尚、この記録装置は携帯ボックス９以外に、管理用パーソナルコンピュータ１３に設けてもよい。
【００１４】
また、携帯ボックス９には、現場の調査に必要な測定器１６や設備の図面（図示省略）が予め収納されている。これによって、現場担当者は省エネルギーの診断に必要な調査を的確に行うことができる。
【００１５】
更に、携帯ボックス９には、携帯された位置、即ち、現場担当者の位置を前記各専門員に知らせるためのＧＰＳ（グローバルポジショニングシステム）が設けられている。この現場担当者の位置情報は前述の通信ネットワーク１１を介して管理用パーソナルコンピュータ１３の画面に表示される。
【００１６】
次に、省エネルギー診断システム１の具体的な使用について説明する。
最初に、あるビルディングに装備されている空調設備を省エネルギー診断対象設備として調査する場合に省エネルギー診断システム１を使用する例について説明する。
現場担当者は前述の保管場所に保管されているヘルメット２を着用するとともに携帯ボックス９を持ち出してビルディングに携帯する。この状態で前述の無線機７及び携帯ボックス９の各機器の電源が自動的にオンになるとともに、前述の設計センター１２に設置されている管理用パーソナルコンピュータ１３に自動的にアクセスされる。これにより、ヘルメット２の無線機７と、携帯ボックス９の無線送受信機１０及び情報機器１５と、管理用パーソナルコンピュータ１３との間の通信が可能になる。
【００１７】
上記ビルディングに到着した現場担当者は、上記空調設備の調査を開始することが可能である旨の情報を管理用パーソナルコンピュータ１３に伝送する。この情報により、上記設計センター１２に居る各技術分野の専門員は、省エネルギーの診断に必要と思われる調査を現場担当者に指示する。
【００１８】
現場担当者は、上記調査指示に従って空調設備の全体的な使用状態や各構成機器を撮影したうえ、その映像を送信するとともに、前述のマイクロフォン４とイアフォン５により設計センター１２に居る各専門員と上記調査に関係する会話をする。この会話において、各専門員は、例えばポンプに接続されている流量計による流量値の確認、ポンプのサイズ、定格、仕様、ポンプの周辺に配置されている関連機器の調査を現場担当者に指示する。現場担当者は、これらの指示に基づいてそれぞれの関連個所を撮影して映像を送信するとともに音声で説明をする。
【００１９】
このように、現場担当者と各専門員との間の緊密なコミュニケーションによって、専門員が現場に行かなくても、一人の現場担当者の現場調査により空調設備の省エネルギーの診断に必要な全ての調査をすることができる。
【００２０】
次に、オフィスビルディングの照明設備を省エネルギー診断対象設備として調査する場合に省エネルギー診断システム１を使用する例について説明する。
現場担当者は保管場所に保管されているヘルメット２とともに携帯ボックス９を持ち出して上記オフィスビルディングに携帯する。この状態で前述と同様に無線機７及び携帯ボックス９の各機器の電源が自動的にオンになるとともに、照明設備に詳しい専門員が居る設計センター１２に設置されている管理用パーソナルコンピュータ１３に自動的にアクセスされる。これにより、ヘルメット２の無線機７と、携帯ボックス９の無線送受信機１０及び情報機器１５と、管理用パーソナルコンピュータ１３との間の通信が可能になる。
【００２１】
上記オフィスビルディングに到着した現場担当者は、照明設備の調査を開始することが可能である旨の情報を管理用パーソナルコンピュータ１３に伝送する。この情報により、照明設備の各技術分野の専門員は、省エネルギーの診断に必要と思われる調査を現場担当者に指示する。
【００２２】
現場担当者は、上記指示に従って照明器具の灯数や点灯時間を調査し、照明設備の全体的な使用状態や構成機器を撮影してその映像を送信するとともに前述のマイクロフォン４とイアフォン５により設計センター１２に居る各専門員と調査に関係する会話をする。この会話において、各専門員は更に必要と思われる個所、例えば調光装置や照度センサ等の有無や詳細な使用状態、取り付け個所などの調査を現場担当者に指示する。現場担当者は、これらの指示に基づいてそれぞれの関連個所を撮影して映像を送信するとともに音声で説明をする。
【００２３】
このように、現場担当者と各専門員との間の緊密なコミュニケーションによって、専門員が現場に行かなくても、一人の現場担当者の現場調査により照明設備の省エネルギーの診断に必要な全ての調査をすることができる。
【００２４】
尚、携帯ボックス９に設けられている前述の記録装置は、現場担当者と各専門員との会話や、設備状況等を撮影した映像を記録することができるため、これらの記録データを省エネルギーの診断用調査データベースとして使用することができる。
【００２５】
以上の実施の形態では、現場担当者が着用するヘルメット２にカメラ３やマイクロフォン４及びイアフォン５を取り付けた例を説明したが、ヘルメット２に限らず、現場担当者が着用する例えばベスト等に上記機器を取り付けてもよい。
【００２６】
尚、以上の発明の実施の形態では、省エネルギー診断システム１を空調設備、照明設備それぞれの省エネルギーの診断に必要な調査をする場合に用いる例について説明したが、例えば同一のビルディングの空調設備、照明設備、及び衛生設備などの複数種類の設備について総合的に省エネルギーの診断に必要な調査をする場合でも、この省エネルギー診断システム１を使用することができる。
【００２７】
【発明の効果】
本発明によれば、省エネルギーの診断対象となる設備を構成するそれぞれの技術分野の専門員が現場に出向かなくても、設備の省エネルギーの診断に必要な調査をすることができる。
【図面の簡単な説明】
【図１】省エネルギー診断システムの全体的な構成を示したシステム系統図である。
【符号の説明】
１  省エネルギー診断システム
２  ヘルメット
３  カメラ
３ａ  ホルダー
４  マイクロフォン
５  イアフォン
６  ケーブル
７  無線機
８  アンテナ
９  携帯ボックス
１０  無線送受信機
１０ａ  アンテナ
１１  通信ネットワーク
１２  センター
１３  管理用パーソナルコンピュータ
１４  通信機
１４ａ  アンテナ
１５  情報機器
【図１】
0003552048.tif 000002